(57)【要約】【課題】  保持器を用いてころ非脱落形式としながら、総ころ形式と同程度のころ本数を有するものとでき、総ころ形式の各種の課題を解消することができると共に、組立性が向上し組立自動化も可能なころ軸受およびその組み立て方法を提供する。【解決手段】  外輪と、この外輪の転走面に接する複数のころと、リング状の保持器３とを有するころ軸受である。上記保持器３は、ころを保持するポケット４を円周方向に複数並べて設けた梯子状のものである。各ポケット４間の柱部５は各ころの間でころを内径側から保持し、保持器３の柱部５における外径は、ころ配列のピッチ円直径よりも小径である。保持器３の円周方向の複数箇所には、この保持器３の一側縁から他側縁の近傍まで切り欠かれた形状のスリット７，７Ａを設ける。スリット７，７Ａは、ポケットを兼ねるものである。【選択図】      図２
2005233322.tif 000002
【特許請求の範囲】
【請求項１】
外輪と、この外輪の転走面に接する複数のころと、リング状の保持器とを有し、前記保持器が、前記ころを保持するポケットを円周方向に複数並べて設けた梯子状のものである軸受において、
各ポケット間の柱部が各ころの間で上記ころを内径側から保持し、前記保持器の前記柱部における外径が、ころ配列のピッチ円直径よりも小径であり、前記保持器の円周方向の複数箇所に、この保持器の一側縁から他側縁の近傍まで切りかかれた形状のスリットを設けたことを特徴とするころ軸受。
【請求項２】
請求項１において、前記スリットが、ころを保持するポケットを兼ねるものである転がり軸受。
【請求項３】
請求項１または請求項２において、前記保持器の前記スリットを除く円弧状の周方向部分を繋ぎ合わせたと仮定したリング状体の外径寸法が、ころ配列の内接円径よりも小さくなるように、保持器のスリットの円周方向幅およびスリット個数を設定したころ軸受。
【請求項４】
請求項１ないし請求項３のいずれか１項において、保持器の外径面の縁部を、テーパ状または断面円弧状の先狭まり形状としたころ軸受。
【請求項５】
外輪と、この外輪の転走面に接する複数のころと、リング状の保持器とを有し、前記保持器が、前記ころを保持するポケットを円周方向に複数並べて設けた梯子状のものである軸受において、
前記保持器の円周方向の複数箇所に、この保持器の一側縁から他側縁の近傍まで切りかかれた形状のスリットを設けたことを特徴とするころ軸受。
【請求項６】
請求項１ないし請求項４のいずれか１項に記載のころ軸受において、前記保持器が片側のみに前記スリットを有するものであるころ軸受を組み立てる方法であって、外輪の内周にころを配置した後、前記保持器をころ配列の内側へ軸方向に挿入し、この挿入作業は、内径面が円すい状面となった拡縮可能なチャックにより保持器の挿入側部分を縮径させながら、押し込み治具で押し込むことにより行い、この挿入の後、保持器を材質の持つ弾性で元の径に復元させることを特徴とするころ軸受の組み立て方法。
【請求項７】
請求項１ないし請求項４のいずれか１項に記載のころ軸受において、前記保持器が両側に前記スリットを有するものであるころ軸受を組み立てる方法であって、外輪の内周にころを配置した後、前記保持器をころ配列の内側へ軸方向に挿入し、この挿入は、内径が円すい状面となった案内治具内に押し込むことにより保持器を縮径させながら行い、この挿入の後、保持器を材質の持つ弾性で元の径に復元させることを特徴とするころ軸受の組み立て方法。
【請求項８】
外輪と、この外輪の転走面に接する複数のころと、リング状の保持器とを有し、前記保持器が、前記ころを保持するポケットを円周方向に複数並べて設けた梯子状のものである軸受において、各ポケット間の柱部が各ころの間で上記ころを内径側から保持し、前記保持器の前記柱部における外径が、ころ配列のピッチ円直径よりも小径であり、前記保持器の円周方向の１箇所に分割部を設けたことを特徴とするころ軸受。
【請求項９】
請求項８において、前記保持器の前記分割部にころを介在させたころ軸受。
【発明の詳細な説明】
【技術分野】
【０００１】
この発明は、外輪を有する総ころ軸受と同様な用途に適用される保持器付きの針状ころ軸受等のころ軸受、およびその組み立て方法に関する。
【背景技術】
【０００２】
従来、軸受外径が限られた大きさで、大きな負荷容量が求められる用途では、総ころ軸受が用いられている。総ころ軸受は、ころ間に保持器の柱部が介在しないため、保持器付きの軸受に比べてころ本数を多くでき、負荷容量が増大する。
しかし総ころ軸受では、保持器がないために機器への組み込み前の取扱時にころが脱落する。このため、ころを非脱落とするための提案が種々なされており、例えばころの両端に尖り部を設け、プレス製の外輪の鍔で尖り部を抱え込むようにしたものがある（例えば特許文献１）。また、熱固化性のグリースを充填することにより、総ころ軸受を非脱落とするものもある（例えば特許文献２）。
【特許文献１】特開平６−３０７４５６号公報
【特許文献２】特開平７−２３８９４０号公報
【発明の開示】
【発明が解決しようとする課題】
【０００３】
ころ端面に尖り部を設けるタイプの非脱落総ころ軸受には、次の課題がある。
・ころ端面の尖り形状の寸法分だけ、ころの有効長が小さくなる。
・ころ端面が尖り形状であるため、誘起スラスト力が大きい使用方法では、ころ端面の摩耗が顕著となる。
・ころ端面を尖り部とするため、端面が平面のころに比べて高価となる。
【０００４】
熱固化性のグリースを充填したタイプの非脱落総ころ軸受には、次の課題がある。
・熱固化性グリースの使用温度範囲に軸受の使用温度が限られる。
・軸受の潤滑の手段、例えばグリースの種類や油の種類が限定される。
【０００５】
そこで、このような課題を解消するものとして、保持器付きのころ軸受において、円周方向に並ぶ複数のポケットを有するリング状の保持器を、径方向に変形可能な樹脂製とすると共に、各ポケット間の柱部が各ころ間でころを内径側から保持し、かつ柱部の外径を、ころ配列ピッチ円直径よりも小径とするものを提案した（特願２００３−２８５５６６号）。
この構成によると、外輪の内周にころを配置した後に、保持器の一部を径方向に弾性変形させつつ保持器をころ配列の内径側に挿入させてから、保持器を元の形状に戻すと同時に保持器のポケットに各ころを挿入させることができる。
【０００６】
しかし、このような構成のころ軸受も、次の課題がある。
・保持器の一部を径方向に変形させて組み立てるため、塑性変形が生じて組立後の保持器の形状精度が低下しないように、組み立てに気を使う必要がある。
・組立時に保持器の一部を径方向に変形させることから、組立の自動化が困難である。
【０００７】
この発明の目的は、保持器を用いてころ非脱落形式としながら、総ころ形式と同程度のころ本数を有するものとできて、総ころ形式の各種の課題を解消することができ、また組立性に優れ、組立の自動化も可能なころ軸受およびその組み立て方法を提供することである。
【課題を解決するための手段】
【０００８】
この発明における第１の発明のころ軸受は、外輪と、この外輪の転走面に接する複数のころと、リング状の保持器とを有し、前記保持器が、前記ころを保持するポケットを円周方向に複数並べて設けた梯子状のものである軸受であって、各ポケット間の柱部が各ころの間で上記ころを内径側から保持し、前記保持器の前記柱部における外径が、ころ配列のピッチ円直径よりも小径であり、前記保持器の円周方向の複数箇所に、この保持器の一側縁から他側縁の近傍まで切り欠かれた形状のスリットを設けたことを特徴とする。
【０００９】
この構成によると、保持器の柱部が各ころの間で上記ころを内径側から保持するものであり、その柱部の外径をころ配列のピッチ円直径よりも小径としたため、保持器柱部がころ配列のピッチ円上に存在しないものとできる。そのため、柱部によってころの配列間隔が広がらず、保持器を用いてころ非脱落形式としながら、総ころ形式と同程度のころ本数を有するものとできる。そのため、総ころ形式の各種の課題を解消することができる。また、軸受の組み立てに際しては、外輪の内周にころを配置した後に、保持器をそのスリットの開口端側からころ配列の内側へ、保持器の挿入側部分を縮径させながら挿入することができる。この後、保持器を材質の持つ弾性で元の径に自然復元させることで、ポケット内に各ころが入り、軸受が組み立てられる。上記保持器の挿入においては、上記スリットがあるため、保持器をその材質の弾性域内で変形させることができ、そのため保持器の撓み変形が少なく、変形に伴う精度低下を防止できる。これにより組立性の向上および精度向上を図ることができ、また組立の自動化も可能となる。
【００１０】
この発明において、前記スリットは、ころを保持するポケットを兼ねるものであっても良い。換言すれば、保持器の側縁のリング状部に、ポケットの箇所で除去部分を設け、その除去部分とポケットとで上記スリットが構成されたものであっも良い。
スリット内にもころを配置することで、スリットを設けながら、ころ本数を増やすことができて、ころ軸受の負荷容量を増大させることができる。
【００１１】
また、この発明において、前記保持器の前記スリットを除く円弧状の周方向部分を繋ぎ合わせたと仮定したリング状体の外径寸法が、ころ配列の内接円径よりも小さくなるように、保持器のスリットの円周方向幅およびスリット個数を設定しても良い。このように設定することにより、外輪の内周にころを配置した後に、保持器をそのスリットの開口端側からころ配列の内側へ、保持器の挿入側部分を縮径させながら挿入する作業を容易に行うことができ、組立性がさらに向上する。
【００１２】
この発明において、保持器の外径面の縁部を、テーパ状または断面円弧状の先狭まり形状としても良い。先狭まり形状に構成することにより、組立時のころ配列の内側への保持器の挿入をより円滑に行うことができ、組立性がさらに向上する。
【００１３】
この発明における他のころ軸受は、外輪と、この外輪の転走面に接する複数のころと、リング状の保持器とを有し、前記保持器が、前記ころを保持するポケットを円周方向に複数並べて設けた梯子状のものである軸受であって、前記保持器の円周方向の複数箇所に、この保持器の一側縁から他側縁の近傍まで切り欠かれた形状のスリットを設けたことを特徴とする。
この構成の場合、総ころ形式と同程度のころ本数を有するという効果は必ずしも得られないが、保持器の挿入による軸受の組み立て性については、第１の発明と同様に良好に得られる。すなわち、外輪の内周にころを配置した後に、保持器をそのスリットの開口端側からころ配列の内側へ、保持器の挿入側部分を縮径させながら挿入してから、保持器を材質の持つ弾性で元の径に戻すことで、ころ軸受を組み立てることができる。このとき、保持器の挿入においては、上記スリットが設けられているため、保持器をその材質の弾性域内で変形させることができて、保持器の撓み変形が少なく、変形に伴う精度低下を防止でき、組立性の向上および精度向上を図ることができる。
【００１４】
この発明のころ軸受の第１の組み立て方法は、第１の発明の軸受において、前記保持器が片側のみに前記スリットを有するものであるころ軸受を組み立てる方法である。この組み立て方法は、外輪の内周にころを配置した後、前記保持器をころ配列の内側へ軸方向に挿入する。この挿入作業は、内径面が円すい状面となった拡縮可能なチャックにより保持器の挿入側部分を縮径させながら、押し込み治具で押し込むことにより行う。この挿入の後、保持器を材質の持つ弾性で元の径に復元させる。
この方法によると、内径面が円すい状面となった拡縮可能なチャックにより保持器の挿入側部分を縮径させながら、押し込み治具で押し込むため、保持器が片方のみにスリットを有するものであっても、保持器をころ配列の内側へ軸方向に挿入することが容易に行える。また、この挿入時に保持器に無理な荷重が作用せず、挿入時の変形に伴う精度の低下が防止され、組み立て性の向上および精度向上が得られる。また、組立の自動化も可能となる。
【００１５】
この発明のころ軸受の第２の組み立て方法は、第１の発明の軸受において、前記保持器が両側に前記スリットを有するころ軸受を組み立てる方法である。この組み立て方法は、外輪の内周にころを配置した後、前記保持器をころ配列の内側へ軸方向に挿入し、この挿入は、内径が円すい状面となった案内治具内に押し込むことにより保持器を縮径させながら行い、この挿入の後、保持器を材質の持つ弾性で元の径に復元させる。
この方法の場合、コレットチャックのような治具を用いることなく、保持器を上記した案内治具内に押し込むだけでころ軸受を組み立てることができる。この場合に、保持器の撓み変形が少なく、変形に伴う精度低下を防止でき、組立性の向上および精度向上を図ることができる。また、保持器は両側にスリットを有することから、保持器の組み込みの方向性を無くすことができ、より一層組立性が向上する。さらに、組立の自動化を簡単な装置で行うことができる。
【００１６】
この発明のさらに他のころ軸受は、上記スリットを設けない保持器を用いたものである。このころ軸受は、外輪と、この外輪の転走面に接する複数のころと、リング状の保持器とを有し、前記保持器が、前記ころを保持するポケットを円周方向に複数並べて設けた梯子状のものである軸受であって、各ポケット間の柱部が各ころの間で上記ころを内径側から保持し、前記保持器の前記柱部における外径が、ころ配列のピッチ円直径よりも小径であり、前記保持器の円周方向の１箇所に分割部を設けたことを特徴とする。
この構成の場合も、保持器を用いてころ非脱落形式としながら、総ころ形式と同程度のころ本数を有するものとでき、総ころ形式の各種の課題を解消することができると共に、組立性が向上し組立自動化も可能となる。
この構成の場合は、外輪の内周にころを配置した後に、保持器をその分割部を有する側からころ配列の内側へ、保持器の挿入側部分を縮径させながら挿入してから、保持器を材質の持つ弾性で元の径に戻すことで、ころ軸受を組み立てることができる。このとき、保持器の挿入においては、保持器をその材質の弾性域内で変形させることができることから保持器の撓み変形が少なく、変形に伴う精度低下を防止でき、組立性の向上および精度向上を図ることができる。
【００１７】
この発明において、前記保持器の前記分割部にころを介在させても良い。保持器の分割部にもころを介在させることにより、分割部を設けながら、ころ本数を増やして、ころ軸受の負荷容量を増大させることができる。
【発明の効果】
【００１８】
この発明のころ軸受は、外輪と、この外輪の転走面に接する複数のころと、リング状の保持器とを有し、前記保持器が、前記ころを保持するポケットを円周方向に複数並べて設けた梯子状のものである軸受であって、各ポケット間の柱部が各ころの間で上記ころを内径側から保持し、前記保持器の前記柱部における外径が、ころ配列のピッチ円直径よりも小径であり、前記保持器の円周方向の複数箇所に、この保持器の一側縁から他側縁の近傍まで切り欠かれた形状のスリットを設けたため、保持器を用いてころ非脱落形式としながら、総ころ形式と同程度のころ本数を有するものとでき、総ころ形式の各種の課題を解消することができると共に、組立性が向上し組立自動化も可能となる。
【発明を実施するための最良の形態】
【００１９】
この発明の第１の実施形態を図１ないし図６と共に説明する。このころ軸受は、外輪１と、この外輪１の内径面からなる転走面１ａに接する複数のころ２と、リング状の保持器３とを有する。保持器３は円周方向に並ぶ複数のポケット４を有する梯子状のものであり、各ポケット４間の柱部５が、各ころ２の間にあって上記ころ２を内径側から保持するものとする。
【００２０】
外輪１は、両側に鍔部１ｂを有している。外輪１は、シェル型のもの、つまり鋼板のプレス成形品とされている。
保持器３は、ポリアミド（例えばＰＡ６６，ＰＡ４６）、またはポリアセタール等の弾性変形が可能な合成樹脂製とされている。保持器３は、これらの合成樹脂を、非強化の状態、あるいはカーボンファイバやグラスファイバ等の強化繊維を３０％以下添加した状態のものとして使用することにより、軸受寸法や軸受用途等に応じた適度の強度と柔軟性を持たせたものとしてある。
【００２１】
保持器３は、図２（Ａ）〜（Ｃ）に各種の例をそれぞれ示すように、幅方向の両端がリング状部６とされ、両側のリング状部６の間に柱部５を円周方向に等間隔で複数設けたものである。各柱部５の間の空間がころ２の入るポケット４となる。
【００２２】
図１（Ｂ）に示すように、保持器３の柱部断面形状は略三角形状とされる。保持器３の内径寸法ｄ３ｉは、ころ配列の内接円径の最大径ｄ２ｉよりも０．１mm以上大きくする。この０．１mmの寸法は、軸受サイズにかかわらず、この値以上であることが好ましい。保持器３の柱部５の並びの外径寸法ｄ３ｏは、ころ配列のピッチ円直径ＰＣＤよりも小さくする。例えば、ピッチ円直径ＰＣＤよりも０．１mm以上小さくする。このピッチ円直径ＰＣＤよりも小さくする寸法は、軸受寸法等に応じて設計される所定割合以上としても良い。保持器３の柱部５の太さＢは、ころ径の１５〜３０％とすることが好ましい。
【００２３】
図２（Ａ）〜（Ｃ）に各例を示すように、保持器３は、その円周方向の複数箇所に、この保持器３の一側縁から他側縁の近傍まで切り欠かれた形状のスリット７，７Ａを設けたものとしてある。
図２（Ａ）は、スリット７が、一側縁（図中の左側）から切り欠かれたもののみである保持器３の例を示す。
図２（Ｂ）は、スリット７に、一側縁から切り欠かれたものと、他側縁から切り欠かれたものとがあって、両側のスリット７が円周方向に千鳥状に並ぶように設けられた保持器３の例を示す。
これら図２（Ａ），（Ｂ）の例の保持器３は、いずれもリング状部６における隣合う柱部５間の部分の略全体を除去した部分と、隣合う柱部５間のポケットを兼用する部分とでスリット７が構成される。
【００２４】
図２（Ｃ）は、スリット７，７Ａが一側縁（図中の左側）から切り欠かれたもののみの例であるが、２種類のスリット７，７Ａを有している。その一つの種類のスリット７は、リング状部６における隣合う柱部５間の部分の略全体を除去した部分とポケットを兼用する部分とでスリット７とされる。他の一つの種類のポケット７Ａは、リング状部６における隣合う柱部５間の部分の一部６ａを除去した部分とポケットを兼用する部分とで構成される。２種類のポケット７，７Ａは、円周方向に交互に設けられている。
【００２５】
なお、図２（Ａ），（Ｂ）の各例は、いずれもポケット４とスリット７とが交互に形成されていて、柱部５は、ポケット４とポケットを兼用するスリット７との間に設けられたものとされている。
図２（Ｃ）の例では、スリット７Ａは複数個のポケット４の並びを開けて設けられ、柱部５は、ポケット４とポケットを兼用するスリット７との間に設けられたものの他に、同図では図示が省略されているが、専用のポケット４が隣合う部分にも設けられている。図２（Ａ），（Ｂ）の例においても、スリット７は複数個のポケット４の並びを開けて設けられたものとしても良い。
柱部５の断面形状は、ポケット４とスリット７の間のものと、隣合う専用のポケット４間のものとのいずれも、図１（Ｂ）と共に前述した形状とされる。
【００２６】
図３は、保持器３のスリット７（７Ａ）が切り欠かれた一側縁側を、縮径変形させる前と縮径変形させた後とで比較して示す説明図である。同図に示すように、保持器３は、スリット７（７Ａ）を除く円弧状の周方向部分（リング状部６）を繋ぎ合わせたと仮定したリング状体１６の外径寸法ｄ１６ｏが、ころ配列の内接円径ｄ２ｉよりも小さくなるように、保持器３のスリット７（７Ａ）の円周方向幅Ｗおよびスリット個数が設定されている。図２（Ａ），（Ｂ）の例のようにポケット４とスリット７とを交互に設ける場合は、この外径寸法ｄ１６ｏと内接円径ｄ２ｉとの寸法関係は自然に充足されるが、図２（Ｃ）の例や、その他にスリット７の形成個数が少ない場合や開口幅が小さい場合でも、上記外径寸法ｄ１６ｏと内接円径ｄ２ｉとの寸法関係を充足させることが好ましい。
【００２７】
保持器３を上記のようにスリット７（７Ａ）付きとした場合、例えば図４または図５にそれぞれ示すような第１，第２の組立方法を採用できる。
第１の組立方法は、図４に示すように、保持器３が片側のみにスリット７（７Ａ）を有するころ軸受、例えば図２（Ａ），（Ｃ）に示す保持器３を有するころ軸受を組み立てる方法である。この方法では、外輪１の内周にころ２を配置した後に、保持器３をそのスリット７（７Ａ）の開口端側からころ配列の内側へ軸方向に挿入する。外輪１の内周へのころ２の配置は、例えばころ２にグリースを塗布し、グリースの粘着性でころ２を外輪１に付着させることで行う。この場合の保持器挿入作業は、内径面が円すい状面となった拡縮可能なチャック１１により保持器３の挿入側部分を縮径させながら、押し込み治具１２で押し込むことにより行う。上記チャック１１には、円周方向に並ぶ複数個に分割されたチャック分割体からなるもの等で使用できる。この種のチャックとしてコレットチャック等がある。この保持器３の挿入の後、保持器３を材質の持つ弾性で元の径に自然に復元させる。これにより、保持器３のポケット４に各ころ２が挿入される。
【００２８】
このようにして、ころ軸受を組み立てることにより、保持器３をその材質の弾性域内で変形させることができることから、保持器３の撓み変形が少なく、変形に伴う精度低下を防止でき、組立性の向上および精度向上を図ることができる。また、組立の自動化も可能となる。
【００２９】
第２の組立方法は、図５に示すように保持器３が両側にスリット７を有する軸受、例えば図２（Ｂ）に示す保持器３を有するころ軸受を組み立てる方法である。この方法も、外輪１の内周にころ２を配置した後に、保持器３をころ配列の内側へ軸方向に挿入するが、この場合の挿入作業は、内径面が円すい状面となった案内治具１３内に押し込むことにより保持器３の挿入側部分を縮径させながら行う。この挿入の後、保持器３を材質の持つ弾性で元の径に自然に復元させる。これにより、保持器３のポケット４に各ころ２が挿入される。
【００３０】
このように、両側に千鳥状にスリット７を有する保持器３を用いた場合には、チャック類を用いることなく、保持器３を上記した案内治具１３内に押し込むだけでころ軸受を組み立てることができる。その場合も、保持器３の撓み変形が少なく、変形に伴う精度低下を防止でき、組立性の向上および精度向上を図ることができる。また、保持器３の両側にスリット７を有することから、保持器３の組み込み方向性を無くすことができ、より一層組立性が向上する。また、組立の自動化を簡単な構成で行うことができる。
【００３１】
図６は、上記組立状態において、保持器３のポケット４にころ２が挿入された状態を示す。図６（Ａ）は片側のみにスリット７を有する保持器３（図２（Ａ）の例）を用いた場合を示し、ここではポケット４だけでなく、スリット７内にもころ２が配置されている。これにより、ころ軸受の負荷容量を増大させることができる。図６（Ｂ）は両側にスリット７を有する保持器３（図２（Ｂ）の例）を用いた場合を示し、この場合もポケット４だけでなく、スリット７内にもころ２が配置されている。
【００３２】
この構成のころ軸受によると、このように、保持器３の円周方向の複数箇所に、保持器３の一側縁から他側縁の近傍まで切り欠かれた形状のスリット７，７Ａを設けたので、保持器３の挿入側部分を縮径させながら挿入することができる。そのため、保持器３をその材質の弾性域内で変形させることができて、保持器３の撓み変形が少なく、変形に伴う精度低下を防止でき、組立性の向上および精度向上を図ることができる。また、保持器３におけるポケット４間やポケット４とスリット７，７Ａ間の柱部５が各ころ２の間でころ２を内径側から保持し、保持器３の柱部５における外径ｄ３ｏを、ころ配列のピッチ円直径ＰＣＤよりも小径としているので、保持器３によりころ２の脱落が防止できる。
【００３３】
なお、前記実施形態では、外輪１がプレス成形品である場合を例示して説明したが、これに限らず、例えば図７のように、外輪１が削り加工品からなるものであっても上記構成の保持器３を組み込むことにより、その組立性を向上させ精度向上を図ることができる。      
【００３４】
また、図８に示すように、保持器３の外径面の縁部３ａは、テーパ状または断面円弧状の先狭まり形状とするのが好ましい。
図８（Ａ）は、保持器３の外径面の左右両縁部３ａをテーパ状の先狭まり形状とした例を示し、保持器３は両側にスリット７を有する形式（図２（Ｂ）の例）のものを用いている。このように、保持器３の外径面の縁部３ａをテーパ状の先狭まり形状とすることにより、上記した組立時のころ配列の内側への保持器３の挿入を円滑に行うことができ、組立性がさらに向上する。ここでは組み込み方向性を問わない両側にスリット７を有する保持器３において、その外径面の両縁部３ａともテーパ状の先狭まり形状としているので、保持器３をいずれの側縁からころ配列の内側へ挿入しても、その挿入を円滑に行うことができる。なお、図８（Ａ）の例では、外輪１が削り加工品の場合を示している。
【００３５】
図８（Ｂ）は、保持器３の外径面の一方の縁部３ａを断面円弧状の先狭まり形状とした例を示す。保持器３は、片側にスリット７（７Ａ）を有する形式、例えば図２（Ａ）または図２（Ｃ）の例のものを用いている。この場合、先狭まり形状とされる縁部３ａは、スリット７（７Ａ）が切り欠かれる側の縁部３ａであり、上記した組立時に保持器３はスリット７（７Ａ）の開口端側からころ配列の内側へと挿入される。これにより、保持器３の挿入を円滑に行うことができ、組立性がさらに向上する。なお、図８（Ｂ）の例では、外輪１がプレス成形品の場合を示している。
【００３６】
なお、上記各実施形態において、保持器３は円周方向の複数箇所にスリット７（７Ａ）を有するものとしたが、保持器３は図９（Ａ）〜（Ｃ）の各例等に示すように、円周方向の１箇所に分割部８を有するものであっても良い。この分割部８は、ポケット４の周囲の一側部または両側部のリング状部６に設けられる。分割部８は、例えば図９（Ａ）に示すように、保持器３のリング状部６の分割された一端に設けられた凹部９ａに、分割された他端に設けられた凸部９ｂが出入り方向移動自在に嵌まり合うものであっても、また図９（Ｂ）のように分割された両端に相欠きの継手状の突部９ｃを有するものとしても良い。さらには、図９（Ｃ）のように分割された両端の端面を平坦面とし、単に略突き合わせ状態とするものでも良い。なお、図９（Ａ）〜（Ｃ）の各例は、分割部８を有する保持器３の片側を縮径変化させたときの状態を示し、縮径変化が解かれた元の状態では、分割部８は図示の状態より開いた状態に戻る。
【００３７】
このように保持器３の円周方向の１箇所に分割部８を設けた場合でも、スリット７（７Ａ）を設けた場合と同様に、分割部８を設けた片側を縮径変化させることができる。そのため、上記した組立時に、保持器３に大きな変形を強いることなく、ころ配列の内側に保持器３を挿入でき、組立性の向上および精度向上を図ることができる。先の実施形態でスリット７，７Ａにころ２を配置したように、この実施形態でも分割部８を設けたリング状部６で一側部が囲まれるポケット相当部にころ２を配置しても良い。ころ２をこのように配置することで、ころ軸受の負荷容量を増大させることができる。
【００３８】
また、上記各実施形態では、保持器３は、各ポケット４間の柱部５が各ころ２の間でころ２を内径側から保持し、保持器３の柱部５における外径ｄ３ｏが、ころ配列のピッチ円直径ＰＣＤよりも小径であるものとしたが、このような条件を持たない保持器３に上記したスリット７，７Ａや分割部８を設けても、軸受の組み立て性について、上記の各例と同様の効果を得ることができる。
【産業上の利用可能性】
【００３９】
この発明のころ軸受は、従来の外輪を有する総ころ軸受と同様な各種の用途、例えば二輪車のリアサスペンションリンク部や、ローラ式のロッカーアーム軸受、シートリクライニング用軸受等に適用することができる。
【図面の簡単な説明】
【００４０】
【図１】（Ａ）はこの発明の第１の実施形態にかかるころ軸受の部分縦断面図、（Ｂ）はその部分横断面図である。
【図２】（Ａ）は同ころ軸受の保持器の一例を示す部分正面図、（Ｂ）は保持器の他の例を示す部分正面図、（Ｃ）は保持器のさらに他の例を示す部分正面図である。
【図３】同保持器の縮径変化前と縮径変化後とを比較して示す説明図である。
【図４】同ころ軸受の組立方法の一例の説明図である。
【図５】同ころ軸受の組立方法の他の例の説明図である。
【図６】（Ａ）は保持器へのころの配置状態の一例を示す部分正面図、（Ｂ）はころ配置状態の他の例を示す部分正面図である。
【図７】外輪が削り加工品であるころ軸受の例を示す部分縦断面図である。
【図８】（Ａ）はこの発明におけるさらに他の実施形態の部分断面図、（Ｂ）はさらに他の実施形態の部分断面図である。
【図９】保持器に分割部を設けた例における分割部の各変形例の説明図である。
【符号の説明】
【００４１】
１…外輪
１ａ…転走面
２…ころ
３…保持器
３ａ…保持器の外径面縁部
４…ポケット
５…柱部
７，７Ａ…スリット
８…分割部
１１…チャック
１２…押し込み治具
１３…案内治具
【図１】
2005233322.tif 000003
【図２】
2005233322.tif 000004
【図３】
2005233322.tif 000005
【図４】
2005233322.tif 000006
【図５】
2005233322.tif 000007
【図６】
2005233322.tif 000008
【図７】
2005233322.tif 000009
【図８】
2005233322.tif 000010
【図９】
2005233322.tif 000011